(57)【要約】【課題】通信局舎内設備の初期投資および通信機器収容スペースを大幅に軽減することができる光ネットワーク用チャンネル割当方法を提供する。【解決手段】光ネットワークを構築する当初は、Ｎ×Ｍ個の加入者装置のうちの（Ｎ×Ｍ）／（２の倍数）個の加入者装置にのみチャンネルをそれぞれ割り当てるのに必要な個数の局用装置のみを通信局舎内設備として設置しておく。また、必要な個数の局用装置のうちの１個の局用装置から、Ｍ個のＮ分岐スプリッタのうちの１個のＮ分岐スプリッタに接続される加入者装置にｘ個のチャンネルのうちのｙ個の連続するチャンネルを所定の割当方向に従って割り当てるとともに、他の１個のＮ分岐スプリッタに接続される加入者装置にｘ個のチャンネルのうちの残りの（ｘ−ｙ）個のチャンネルのうちのｚ個（ｚはｘ−ｙ以下）の連続するチャンネルを所定の割当方向とは逆の割当方向に従って割り当てる。【選択図】  図２
2007006341.tif 000002
【特許請求の範囲】
【請求項１】
Ｎ×Ｍ個の加入者装置を接続することができるようにＮ分岐スプリッタ（３１〜３８）をＭ個だけ線路上に設置するとともに、ｘ個のチャンネルをそれぞれ割り当てることができる複数個の局用装置（１１，１２）から前記Ｎ×Ｍ個の加入者装置にチャンネルをそれぞれ割り当てることにより光ネットワークを構築するときに使用される光ネットワーク用チャンネル割当方法であって、
前記光ネットワークを構築する当初は、前記Ｎ×Ｍ個の加入者装置のうちの（Ｎ×Ｍ）／（２の倍数）個の加入者装置にのみチャンネルをそれぞれ割り当てるのに必要な個数の局用装置（１１）のみを通信局舎内設備として設置しておき、
前記必要な個数の局用装置のうちの１個の局用装置から、前記Ｍ個のＮ分岐スプリッタのうちの１個のＮ分岐スプリッタに接続される加入者装置にｘ個のチャンネルのうちのｙ個の連続するチャンネルを所定の割当方向に従って割り当てるとともに、前記Ｍ個のＮ分岐スプリッタのうちの他の１個のＮ分岐スプリッタに接続される加入者装置にｘ個のチャンネルのうちの残りの（ｘ−ｙ）個のチャンネルのうちのｚ個（ｚはｘ−ｙ以下）の連続するチャンネルを前記所定の割当方向とは逆の割当方向に従って割り当てる、
ことを特徴とする、光ネットワーク用チャンネル割当方法。
【請求項２】
前記１個のＮ分岐スプリッタにおいてｙ個のチャンネルでは加入者装置にチャンネルを割り当てることができなくなった場合には、前記他の１個のＮ分岐スプリッタにおいて未使用チャンネルがあると、該未使用チャンネルを前記所定の割当方向に従って前記１個のＮ分岐スプリッタに接続される加入者装置に割り当てることを特徴とする、請求項１記載の光ネットワーク用チャンネル割当方法。
【請求項３】
前記光ネットワークを構築したのち、前記１個のＮ分岐スプリッタにおいて、前記ｙ個のチャンネルおよび前記未使用チャンネルでは加入者装置にチャンネルを割り当てることができなくなると、新たな局用装置（１２）を通信局舎内設備として設置していくことを特徴とする、請求項２記載の光ネットワーク用チャンネル割当方法。
【請求項４】
前記１個のＮ分岐スプリッタには、該１個のＮ分岐スプリッタに接続されるＮ個の加入者装置のすべてに前記新たな局用装置からチャンネルを割り当てることを特徴とする、請求項３記載の光ネットワーク用チャンネル割当方法。
【請求項５】
前記光ネットワークを構築したのち、前記複数個の局用装置がすべて通信局舎内設備として設置されると、該複数個の局用装置から、前記Ｎ×Ｍ個の加入者装置のすべてにチャンネルを割り当てることを特徴とする、請求項３または４記載の光ネットワーク用チャンネル割当方法。
【請求項６】
前記光ネットワークを構築する当初は、前記局用装置と前記Ｎ分岐スプリッタとをＬ分岐スプリッタを介して接続しておき、
前記光ネットワークを構築したのちに前記複数個の局用装置がすべて通信局舎内設備として設置されると、前記Ｌ分岐スプリッタをＬ／（２の倍数）分岐スプリッタに取り換える、
ことを特徴とする、請求項３乃至５いずれかに記載の光ネットワーク用チャンネル割当方法。
【請求項７】
前記複数個の局用装置が互いに重複するチャンネルを有する場合には、重複するチャンネルが前記Ｎ分岐スプリッタに接続されるＮ個の加入者装置に割り当てられないように、前記Ｎ×Ｍ個の加入者装置のすべてにチャンネルを前記複数個の局用装置から割り当てることを特徴とする、請求項６記載の光ネットワーク用チャンネル割当方法。
【請求項８】
前記複数個の局用装置がそれぞれ、互いに重複するチャンネルを有する２個の光インターフェースを備えている場合には、
前記必要な個数の局用装置については、該局用装置とＬ分岐スプリッタとを、前記２個の光インターフェースのうちの一方の光インターフェースのチャンネルが割り当てられた光ファイバを介して接続するとともに、該局用装置と他のＬ分岐スプリッタとを、前記２個の光インターフェースのうちの他方の光インターフェースのチャンネルが割り当てられた光ファイバを介して接続し、
前記新たな局用装置については、該局用装置と（Ｌ／（２の倍数））分岐スプリッタとを、前記２個の光インターフェースのうちの一方の光インターフェースのチャンネルが割り当てられた光ファイバを介して接続するとともに、該局用装置と他の（Ｌ／（２の倍数））分岐スプリッタとを、前記２個の光インターフェースのうちの他方の光インターフェースのチャンネルが割り当てられた光ファイバを介して接続する、
ことを特徴とする、請求項７記載の光ネットワーク用チャンネル割当方法。
【発明の詳細な説明】
【技術分野】
【０００１】
本発明は、光ネットワーク用チャンネル割当方法に関し、特に、収容局において１本の光ファイバを複数分岐して複数個の加入者装置を接続するのに好適な光ネットワーク用チャンネル割当方法に関する。
【背景技術】
【０００２】
インターネットの提供方式の一つとして、光ファイバを有効活用するために、１本の光ファイバを複数に分岐して光ネットワークを構築するＰＯＮ（Passive Optical Network）方式がある。
【０００３】
従来のＰＯＮ方式における局用装置の設置方法（以下、「ＰＯＮ方式局用装置の設置方法」と称する。）に基づくチャンネル割当方法について、１〜３２ｃｈのチャンネルを有する光インターフェースを２台ずつ備える２個の局用装置から、線路上に設置された８個の１６分岐スプリッタまで光ファイバを配線して、１２８個の加入者装置を接続できるようにする場合を例として、図９を参照して説明する。
【０００４】
第１および第２の局用装置１１１，１１２と第１乃至第４の２分岐スプリッタ１２１〜１２４とを通信局舎内設備として設置するとともに、第１乃至第８の１６分岐スプリッタ１３１〜１３８を線路上に設置する。
【０００５】
第１の局用装置１１１の一方の光インターフェース（第１の光インターフェース）の１〜３２ｃｈが割り当てられた１本の光ファイバを、第１の２分岐スプリッタ１２１により、割当チャンネル範囲が第１の光インターフェースの１〜１６ｃｈである１本の光ファイバと、割当チャンネル範囲が第１の光インターフェースの１７〜３２ｃｈである１本の光ファイバとに分岐する。そして、割当チャンネル範囲が第１の光インターフェースの１〜１６ｃｈである１本の光ファイバを、第１の１６分岐スプリッタ１３１により、１番心線から１６番心線に分岐する。また、割当チャンネル範囲が第１の光インターフェースの１７〜３２ｃｈである１本の光ファイバを、第２の１６分岐スプリッタ１３２により、１番心線から１６番心線に分岐する。
【０００６】
第１の局用装置１１１の他方の光インターフェース（第２の光インターフェース）の１〜３２ｃｈが割り当てられた１本の光ファイバを、第２の２分岐スプリッタ１２２により、割当チャンネル範囲が第２の光インターフェースの１〜１６ｃｈである１本の光ファイバと、割当チャンネル範囲が第２の光インターフェースの１７〜３２ｃｈである１本の光ファイバとに分岐する。そして、割当チャンネル範囲が第２の光インターフェースの１〜１６ｃｈである１本の光ファイバを、第３の１６分岐スプリッタ１３３により、１番心線から１６番心線に分岐する。また、割当チャンネル範囲が第２の光インターフェースの１７〜３２ｃｈである１本の光ファイバを、第４の１６分岐スプリッタ１３４により、１番心線から１６番心線に分岐する。
【０００７】
第２の局用装置１１２の一方の光インターフェース（第３の光インターフェース）の１〜３２ｃｈが割り当てられた１本の光ファイバを、第３の２分岐スプリッタ１２３により、割当チャンネル範囲が１〜１６ｃｈである１本の光ファイバと、割当チャンネル範囲が１７〜３２ｃｈである１本の光ファイバとに分岐する。そして、割当チャンネル範囲が第３の光インターフェースの１〜１６ｃｈである１本の光ファイバを、第５の１６分岐スプリッタ１３５により、１番心線から１６番心線に分岐する。また、割当チャンネル範囲が第３の光インターフェースの１７〜３２ｃｈである１本の光ファイバを、第６の１６分岐スプリッタ１３６により、１番心線から１６番心線に分岐する。
【０００８】
第２の局用装置１１２の他方の光インターフェース（第４の光インターフェース）の１〜３２ｃｈが割り当てられた１本の光ファイバを、第４の２分岐スプリッタ１２４により、割当チャンネル範囲が１〜１６ｃｈである１本の光ファイバと、割当チャンネル範囲が１７〜３２ｃｈである１本の光ファイバとに分岐する。そして、割当チャンネル範囲が第４の光インターフェースの１〜１６ｃｈである１本の光ファイバを、第７の１６分岐スプリッタ１３７により、１番心線から１６番心線に分岐する。また、割当チャンネル範囲が第４の光インターフェースの１７〜３２ｃｈである１本の光ファイバを、第８の１６分岐スプリッタ１３８により、１番心線から１６番心線に分岐する。
【０００９】
このように、従来のＰＯＮ方式局用装置の設置方法に基づくチャンネル割当方法では、図１０に示すように、第１の光インターフェースの１〜３２ｃｈ、第２の光インターフェースの１〜３２ｃｈ、第３の光インターフェースの１〜３２ｃｈおよび第４の光インターフェースの１〜３２ｃｈをすべて、第１乃至第８の１６分岐スプリッタ１３１〜１３８から分岐される心線に接続される加入者装置にそれぞれ割り当てている。
【００１０】
すなわち、従来のＰＯＮ方式局用装置の設置方法に基づくチャンネル割当方法では、複数個の局用装置からＮ×Ｍ個の加入者装置にチャンネルをそれぞれ割り当てることができるように、光ネットワークを構築する当初から、複数個の局用装置を通信局舎内設備として設置して、線路上に設置されたＭ個のＮ分岐スプリッタに接続されるＮ×Ｍ個の加入者装置すべてにチャンネルを割り当てていくようにしている。
【００１１】
なお、下記の特許文献１には、ユーザ数の増加に対応して光ファイバを効率的かつ経済的に増設することができるように、伝送装置に光接続された装置側光ファイバを、カプラ収納部に収納された局側光カプラを介して複数本の外線側光ファイバに分岐し、これら外線側光ファイバのそれぞれを、光接続箱に収納された分配用光カプラまで布線して、この分配用光カプラによって複数本の分配用光ファイバに分岐し、これら分配用光ファイバのそれぞれを端末まで布線した光伝送システムにおいて、カプラ収納部に、分岐数の異なる複数種類の局側光カプラを収納し、局側光カプラを介して一の伝送装置に光接続される分配用光カプラの個数および分岐数を、各局側光カプラの分岐数に応じて、異なる数とする光配線方法が開示されている。
【特許文献１】特開２００５−１７５１９号公報
【発明の開示】
【発明が解決しようとする課題】
【００１２】
しかしながら、上述した従来のＰＯＮ方式局用装置の設置方法に基づくチャンネル割当方法においては、Ｎ×Ｍの加入者装置すべてにチャンネルを割り当てることができるように複数個の局用装置を通信局舎内設備として光ネットワークの構築当初から設置しているため、通信局舎内設備の初期投資が大きいという問題があった。
【００１３】
本発明の目的は、通信局舎内設備の初期投資および通信機器収容スペースを大幅に軽減することができる光ネットワーク用チャンネル割当方法を提供することにある。
【課題を解決するための手段】
【００１４】
本発明の光ネットワーク用チャンネル割当方法は、Ｎ×Ｍ個の加入者装置を接続することができるようにＮ分岐スプリッタ（３１〜３８）をＭ個だけ線路上に設置するとともに、ｘ個のチャンネルをそれぞれ割り当てることができる複数個の局用装置（１１，１２）から前記Ｎ×Ｍ個の加入者装置にチャンネルをそれぞれ割り当てることにより光ネットワークを構築するときに使用される光ネットワーク用チャンネル割当方法であって、前記光ネットワークを構築する当初は、前記Ｎ×Ｍ個の加入者装置のうちの（Ｎ×Ｍ）／（２の倍数）個の加入者装置にのみチャンネルをそれぞれ割り当てるのに必要な個数の局用装置（１１）のみを通信局舎内設備として設置しておき、前記必要な個数の局用装置のうちの１個の局用装置から、前記Ｍ個のＮ分岐スプリッタのうちの１個のＮ分岐スプリッタに接続される加入者装置にｘ個のチャンネルのうちのｙ個の連続するチャンネルを所定の割当方向に従って割り当てるとともに、前記Ｍ個のＮ分岐スプリッタのうちの他の１個のＮ分岐スプリッタに接続される加入者装置にｘ個のチャンネルのうちの残りの（ｘ−ｙ）個のチャンネルのうちのｚ個（ｚはｘ−ｙ以下）の連続するチャンネルを前記所定の割当方向とは逆の割当方向に従って割り当てることを特徴とする。
ここで、前記１個のＮ分岐スプリッタにおいてｙ個のチャンネルでは加入者装置にチャンネルを割り当てることができなくなった場合には、前記他の１個のＮ分岐スプリッタにおいて未使用チャンネルがあると、該未使用チャンネルを前記所定の割当方向に従って前記１個のＮ分岐スプリッタに接続される加入者装置に割り当ててもよい。
前記光ネットワークを構築したのち、前記１個のＮ分岐スプリッタにおいて、前記ｙ個のチャンネルおよび前記未使用チャンネルでは加入者装置にチャンネルを割り当てることができなくなると、新たな局用装置（１２）を通信局舎内設備として設置してもよい。
前記１個のＮ分岐スプリッタには、該１個のＮ分岐スプリッタに接続されるＮ個の加入者装置のすべてに前記新たな局用装置からチャンネルを割り当ててもよい。
前記光ネットワークを構築したのち、前記複数個の局用装置がすべて通信局舎内設備として設置されると、該複数個の局用装置から、前記Ｎ×Ｍ個の加入者装置のすべてにチャンネルを割り当ててもよい。
前記光ネットワークを構築する当初は、前記局用装置と前記Ｎ分岐スプリッタとをＬ分岐スプリッタを介して接続しておき、前記光ネットワークを構築したのちに前記複数個の局用装置がすべて通信局舎内設備として設置されると、前記Ｌ分岐スプリッタをＬ／（２の倍数）分岐スプリッタに取り換えてもよい。
前記複数個の局用装置が互いに重複するチャンネルを有する場合には、重複するチャンネルが前記Ｎ分岐スプリッタに接続されるＮ個の加入者装置に割り当てられないように、前記Ｎ×Ｍ個の加入者装置のすべてにチャンネルを前記複数個の局用装置から割り当ててもよい。
前記複数個の局用装置がそれぞれ、互いに重複するチャンネルを有する２個の光インターフェースを備えている場合には、前記必要な個数の局用装置については、該局用装置とＬ分岐スプリッタとを、前記２個の光インターフェースのうちの一方の光インターフェースのチャンネルが割り当てられた光ファイバを介して接続するとともに、該局用装置と他のＬ分岐スプリッタとを、前記２個の光インターフェースのうちの他方の光インターフェースのチャンネルが割り当てられた光ファイバを介して接続し、前記新たな局用装置については、該局用装置と（Ｌ／（２の倍数））分岐スプリッタとを、前記２個の光インターフェースのうちの一方の光インターフェースのチャンネルが割り当てられた光ファイバを介して接続するとともに、該局用装置と他の（Ｌ／（２の倍数））分岐スプリッタとを、前記２個の光インターフェースのうちの他方の光インターフェースのチャンネルが割り当てられた光ファイバを介して接続してもよい。
【発明の効果】
【００１５】
本発明の光ネットワーク用チャンネル割当方法は、以下に示す効果を奏する。
（１）線路上にＮ分岐スプリッタをＭ個設置してＮ×Ｍ個の加入者装置を接続する場合においても、光ネットワークを構築する当初は、（Ｎ×Ｍ）／（２の倍数）個の加入者装置にのみチャンネルをそれぞれ割り当てるのに必要な個数の局用装置を通信局舎内設備として設置しておけばよいため、通信局舎内設備の初期投資および通信機器収容スペースを大幅に軽減することができる。
（２）Ｍ個のＮ分岐スプリッタのうちの１個のＮ分岐スプリッタに接続される加入者装置にｘ個のチャンネルのうちのｙ個の連続するチャンネルを所定の割当方向に従って割り当てるとともに、他の１個のＮ分岐スプリッタに接続される加入者装置にｘ個のチャンネルのうちの残りの（ｘ−ｙ）個のチャンネルのうちのｚ個（ｚはｘ−ｙ以下）の連続するチャンネルを上記所定の割当方向とは逆の割当方向に従って割り当てることにより、上記１個のＮ分岐スプリッタにおいてｙ個のチャンネルでは加入者装置にチャンネルを割り当てることができなくなった場合でも、上記他の１個のＮ分岐スプリッタにおける空チャンネルを効率的に引き渡すことができる。
【発明を実施するための最良の形態】
【００１６】
通信局舎内設備の初期投資および通信機器収容スペースを大幅に軽減するという目的を、光ネットワークを構築する当初は、Ｎ×Ｍ個の加入者装置のうちの（Ｎ×Ｍ）／（２の倍数）個の加入者装置にのみチャンネルをそれぞれ割り当てるのに必要な個数の局用装置のみを通信局舎内設備として設置しておき、また、必要な個数の局用装置のうちの１個の局用装置から、Ｍ個のＮ分岐スプリッタのうちの１個のＮ分岐スプリッタに接続される加入者装置にｘ個のチャンネルのうちのｙ個の連続するチャンネルを所定の割当方向に従って割り当てるとともに、Ｍ個のＮ分岐スプリッタのうちの他の１個のＮ分岐スプリッタに接続される加入者装置にｘ個のチャンネルのうちの残りの（ｘ−ｙ）個のチャンネルのうちのｚ個（ｚはｘ−ｙ以下）の連続するチャンネルを所定の割当方向とは逆の割当方向に従って割り当てることにより実現した。
【実施例１】
【００１７】
以下、本発明の光ネットワーク用チャンネル割当方法の実施例について、図面を参照して説明する。
本発明の一実施例による光ネットワーク用チャンネル割当方法は、１〜３２ｃｈのチャンネルを有する光インターフェースを２台ずつ備える２個の局用装置から、線路上に設置された８（Ｍ＝８）個の１６分岐スプリッタ（Ｎ分岐スプリッタ：Ｎ＝１６）まで光ファイバを配線して、１２８個（＝Ｎ×Ｍ）の加入者装置を接続できるようにする場合に用いられるものである。
【００１８】
本実施例による光ネットワーク用チャンネル割当方法においては、光ネットワークを構築する当初は、１２８（＝Ｎ×Ｍ）個の加入者装置のうちの６４（＝（Ｎ×Ｍ）／２）個の加入者装置にのみチャンネルをそれぞれ割り当てるのに必要な１個の局用装置のみを通信局舎内設備として設置しておく。
【００１９】
すなわち、図１に示すように、通信局舎内設備として、１〜３２ｃｈのチャンネルをそれぞれ有する第１および第２の光インターフェースを備えた局用装置１１と、第１および第２の４分岐スプリッタ（Ｌ分岐スプリッタ：Ｌ＝４）２１，２２とを設置しておく。
【００２０】
そして、局用装置１１の第１の光インターフェースの１〜３２ｃｈが割り当てられた１本の光ファイバを、第１の４分岐スプリッタ２１により、割当チャンネル範囲が第１の光インターフェースの１〜８ｃｈである１本の光ファイバと、割当チャンネル範囲が第１の光インターフェースの９〜１６ｃｈである１本の光ファイバと、割当チャンネル範囲が第１の光インターフェースの１７〜２４ｃｈである１本の光ファイバと、割当チャンネル範囲が第１の光インターフェースの２５〜３２ｃｈである１本の光ファイバとに分岐する。
【００２１】
割当チャンネル範囲が第１の光インターフェースの１〜８ｃｈである１本の光ファイバを、第１の１６分岐スプリッタ３１により、１番心線から１６番心線に分岐する。割当チャンネル範囲が第１の光インターフェースの９〜１６ｃｈである１本の光ファイバを、第２の１６分岐スプリッタ３２により、１番心線から１６番心線に分岐する。割当チャンネル範囲が第１の光インターフェースの１７〜２４ｃｈである１本の光ファイバを、第３の１６分岐スプリッタ３３により、１番心線から１６番心線に分岐する。割当チャンネル範囲が第１の光インターフェースの２５〜３２ｃｈである１本の光ファイバを、第４の１６分岐スプリッタ３４により、１番心線から１６番心線に分岐する。
【００２２】
また、局用装置１１の第２の光インターフェースの１〜３２ｃｈが割り当てられた１本の光ファイバを、第２の４分岐スプリッタ２２により、割当チャンネル範囲が第２の光インターフェースの１〜８ｃｈである１本の光ファイバと、割当チャンネル範囲が第２の光インターフェースの９〜１６ｃｈである１本の光ファイバと、割当チャンネル範囲が第２の光インターフェースの１７〜２４ｃｈである１本の光ファイバと、割当チャンネル範囲が第２の光インターフェースの２５〜３２ｃｈである１本の光ファイバとに分岐する。
【００２３】
割当チャンネル範囲が第２の光インターフェースの１〜８ｃｈである１本の光ファイバを、第５の１６分岐スプリッタ３５により、１番心線から１６番心線に分岐する。割当チャンネル範囲が第２の光インターフェースの９〜１６ｃｈである１本の光ファイバを、第６の１６分岐スプリッタ３６により、１番心線から１６番心線に分岐する。割当チャンネル範囲が第２の光インターフェースの１７〜２４ｃｈである１本の光ファイバを、第７の１６分岐スプリッタ３７により、１番心線から１６番心線に分岐する。割当チャンネル範囲が第２の光インターフェースの２５〜３２ｃｈである１本の光ファイバを、第８の１６分岐スプリッタ３８により、１番心線から１６番心線に分岐する。
【００２４】
この場合に、第１乃至第８の１６分岐スプリッタ３１〜３８にはそれぞれ１６個の加入者装置を接続することができるにもかかわらず、第１乃至第８の１６分岐スプリッタ３１〜３８の入力側に接続された光ファイバには８チャンネルずつしか割り当てられていないため、８個ずつの加入者装置にのみチャンネルをそれぞれ割り当てることしかできない。しかし、光ネットワークの構築当初においては加入者数が少ないために、特に問題はない。
【００２５】
このように、本実施例による光ネットワーク用チャンネル割当方法においては、図２に示すように、局用装置１１の第１の光インターフェースの１〜３２ｃｈのチャンネルを第１乃至第４の１６分岐スプリッタ３１〜３４からそれぞれ分岐される１６本の心線（１番心線から１６番心線）のうちの８本の心線に接続される加入者装置のみにそれぞれ割り当て、また、図３に示すように、局用装置１１の第２の光インターフェースの１〜３２ｃｈのチャンネルを第５乃至第８の１６分岐スプリッタ３５〜３８からそれぞれ分岐される１６本の心線（１番心線から１６番心線）のうちの８本の心線に接続される加入者装置のみにのみそれぞれ割り当てる。
【００２６】
また、本実施例による光ネットワーク用チャンネル割当方法においては、第１の１６分岐スプリッタ３１から分岐された１６本の心線のうちの８本の心線に接続される加入者装置には、局用装置１１の第１の光インターフェースの１ｃｈから８ｃｈの順番でチャンネルが割り当てられる一方、第２の１６分岐スプリッタ３２から分岐された１６本の心線のうちの８本の心線に接続される加入者装置には、局用装置１１の第１の光インターフェースの１６ｃｈから９ｃｈの順番でチャンネルが割り当てられる。また、第３の１６分岐スプリッタ３３から分岐された１６本の心線のうちの８本の心線に接続される加入者装置には、局用装置１１の第１の光インターフェースの１７ｃｈから２４ｃｈの順番でチャンネルが割り当てられる一方、第４の１６分岐スプリッタ３４から分岐された１６本の心線のうちの８本の心線に接続される加入者装置には、局用装置１１の第１の光インターフェースの３２ｃｈから２５ｃｈの順番でチャンネルが割り当てられる。
【００２７】
すなわち、図２に矢印で示すように、局用装置１１の第１の光インターフェースについては、１〜８ｃｈと９〜１６ｃｈとでは、加入者装置に割り当てられるチャンネルの割当方向が逆にされ、また、１７〜２４ｃｈと２５〜３２ｃｈとでも、加入者装置に割り当てられるチャンネルの割当方向が逆にされる。
【００２８】
同様に、第５の１６分岐スプリッタ３５から分岐された１６本の心線のうちの８本の心線に接続される加入者装置には、局用装置１１の第２の光インターフェースの１ｃｈから８ｃｈの順番でチャンネルが割り当てられる一方、第６の１６分岐スプリッタ３６から分岐された１６本の心線のうちの８本の心線に接続される加入者装置には、局用装置１１の第２の光インターフェースの１６ｃｈから９ｃｈの順番でチャンネルが割り当てられる。また、第７の１６分岐スプリッタ３７から分岐された１６本の心線のうちの８本の心線に接続される加入者装置には、局用装置１１の第２の光インターフェースの１７ｃｈから２４ｃｈの順番でチャンネルが割り当てられる一方、第８の１６分岐スプリッタ３８から分岐された１６本の心線のうちの８本の心線に接続される加入者装置には、局用装置１１の第２の光インターフェースの３２ｃｈから２５ｃｈの順番でチャンネルが割り当てられる。
【００２９】
すなわち、図３に矢印で示すように、局用装置１１の第２の光インターフェースについても、１〜８ｃｈと９〜１６ｃｈとでは、加入者装置に割り当てられるチャンネルの割当方向が逆にされ、また、１７〜２４ｃｈと２５〜３２ｃｈとでも、加入者装置に割り当てられるチャンネルの割当方向が逆にされる。
【００３０】
その後、たとえば、第１の１６分岐スプリッタ３１が設置されたエリアにおいて加入者が増加して８チャンネル以上必要になると、第２の分岐スプリッタ３２から分岐された１６本の心線のうちの８本の心線に割り当てられた９〜１６ｃｈのうち９〜１４ｃｈが未使用チャンネルとして残っている場合（図２参照）には、図４に示すように、この未使用チャネル９〜１４ｃｈのうちのたとえば９〜１２ｃｈが、第１の分岐スプリッタ３１から分岐された１６本の心線のうちのチャンネルが割り当てられなかった残りの８本のうちの４本の心線に、１〜８ｃｈが割り当てられたときと同じ割当方向（すなわち、９ｃｈから１２ｃｈの順番）で割り当てられる。なお、第２の分岐スプリッタ３２から分岐された１６本の心線については、１３〜１６ｃｈの４つのチャンネルしか割り当てられなくなる。
【００３１】
このように、局用装置１１の第１の光インターフェースについて１〜８ｃｈと９〜１６ｃｈとで加入者装置に割り当てられるチャンネルの割当方向を逆にしておくことにより、第１および第２の１６分岐スプリッタ３１，３２間におけるチャンネルの引渡しを容易に行うことができる。
【００３２】
同様に、たとえば、第４の１６分岐スプリッタ３４が設置されたエリアにおいて加入者が増加して８チャンネル以上必要になると、第３の分岐スプリッタ３３から分岐された１６本の心線のうちの８本の心線に割り当てられた１７〜２４ｃｈのうち１９〜２４ｃｈが未使用チャンネルとして残っている場合（図２参照）には、図４に示すように、この未使用チャネル１９〜２４ｃｈのうちのたとえば２２〜２４ｃｈが、第４の分岐スプリッタ３４から分岐された１６本の心線のうちのチャンネルが割り当てられなかった残りの８本のうちの３本の心線に、２５〜３２ｃｈが割り当てられたときと同じ割当方向（すなわち、２４ｃｈから２２ｃｈの順番）で割り当てられる。なお、第３の分岐スプリッタ３３から分岐された１６本の心線については、１７〜２１ｃｈの５つのチャンネルしか割り当てられなくなる。
【００３３】
このように、局用装置１１の第１の光インターフェースについて１７〜２４ｃｈと２５〜３２ｃｈとでも加入者装置に割り当てられるチャンネルの割当方向を逆にしておくことにより、第３および第４の１６分岐スプリッタ３３，３４間におけるチャンネルの引渡しを容易に行うことができる。
【００３４】
その後、第１および第７の１６分岐スプリッタ３１，３７が設置されたエリアにおいて加入者が増加し、１２チャンネルおよび８チャンネル以上必要になる（すなわち、局用装置１１のみでは１２８個の加入者装置のうちのいずれか１つの加入者装置にチャンネルを割り当てることができなくなる）と、図５に示すように、１〜３２ｃｈのチャンネルをそれぞれ有する第３および第４の光インターフェースを備えた他の局用装置１２と、他の局用装置１２の第３の光インターフェースの１〜３２ｃｈが割り当てられた１本の光ファイバをチャンネル割当範囲が第３の光インターフェースの１〜１６ｃｈである１本の光ファイバとチャンネル割当範囲が第３の光インターフェースの１７〜３２ｃｈである１本の光ファイバとに分岐するための第１の２分岐スプリッタ４１（（Ｌ／２）分岐スプリッタ：Ｌ＝４）と、他の局用装置１２の第４の光インターフェースの１〜３２ｃｈが割り当てられた１本の光ファイバをチャンネル割当範囲が第４の光インターフェースの１〜１６ｃｈである１本の光ファイバとチャンネル割当範囲が第４の光インターフェースの１７〜３２ｃｈである１本の光ファイバとに分岐するための第２の２分岐スプリッタ４２（（Ｌ／２）分岐スプリッタ：Ｌ＝４）とを通信局舎内設備として新たに設置する。
【００３５】
そして、チャンネル割当範囲が第１の光インターフェースの１〜１２ｃｈである光ファイバの通信局舎内設備側の端を、図５に点線で示すように、第１の４分岐スプリッタ２１からはずして、新たに設置した第１の２分岐スプリッタ４１に接続する。同様に、チャンネル割当範囲が第２の光インターフェースの１７〜２４ｃｈである光ファイバの通信局舎内設備側の端を、第２の４分岐スプリッタ２２からはずして、新たに設置した第１の２分岐スプリッタ４１に接続する。
【００３６】
また、図６の最下段の表に示すように、第１の４分岐スプリッタ２１からはずして第１の２分岐スプリッタ４１に接続した光ファイバのチャンネル割当範囲を、第１の光インターフェースの１〜１２ｃｈから、新たに設置した他の局用装置１２の第３の光インターフェースの１〜１６ｃｈに変更する。同様に、第２の４分岐スプリッタ２２からはずして第１の２分岐スプリッタ４１に接続した光ファイバのチャンネル割当範囲を、第２の光インターフェースの１７〜２４ｃｈから、新たに設置した他の局用装置１２の第３の光インターフェースの１７〜３２ｃｈに変更する。
【００３７】
なお、第１の４分岐スプリッタ２１からはずされた光ファイバのチャンネル割当範囲であった局用装置１１の第１の光インターフェースの１〜１２ｃｈと、第２の４分岐スプリッタ２２からはずされた光ファイバのチャンネル割当範囲であった局用装置１１の第２の光インターフェースの１７〜２４ｃｈとは、図６の最上段および中段の表に示すように、空チャンネルとされる。
【００３８】
その後、第２、第４、第５および第６の１６分岐スプリッタ３２，３４，３５，３６が設置されたエリアにおいて加入者が増加し、４チャンネル、１１チャンネル、８チャンネルおよび８チャンネル以上必要になると、以下に示すような処理が行われる。
【００３９】
図７に点線で示すように、第４の１６分岐スプリッタ３４については、チャンネル割当範囲が第１の光インターフェースの２２〜３２ｃｈである光ファイバの通信局舎内設備側の端を、第１の４分岐スプリッタ２１からはずして、第２の２分岐スプリッタ４２に接続する。同様に、第５の１６分岐スプリッタ３５についても、チャンネル割当範囲が第２の光インターフェースの１〜８ｃｈである光ファイバの通信局舎内設備側の端を、第２の４分岐スプリッタ２２からはずして、第２の２分岐スプリッタ４２に接続する。
【００４０】
また、図８の最下段の表に示すように、第１の４分岐スプリッタ２１からはずして第２の２分岐スプリッタ４２に接続した光ファイバのチャンネル割当範囲を、第１の光インターフェースの２２〜３２ｃｈから、他の局用装置１２の第４の光インターフェースの１７〜３２ｃｈに変更する。同様に、第２の４分岐スプリッタ２２からはずして第２の２分岐スプリッタ４２に接続した光ファイバのチャンネル割当範囲を、第２の光インターフェースの１〜８ｃｈから、他の局用装置１２の第４の光インターフェースの１〜１６ｃｈに変更する。
【００４１】
また、第２の１６分岐スプリッタ３２については、第２の１６分岐スプリッタ３２に接続されている光ファイバ（図７に一点鎖線で示す）のチャンネル割当範囲を、図８の最上段の表に示すように、第１の光インターフェースの１３〜１６ｃｈから第１の光インターフェースの１〜１６ｃｈに変更する。同様に、第６の１６分岐スプリッタ３６についても、第６の１６分岐スプリッタ３６に接続されている光ファイバ（図７に一点鎖線で示す）のチャンネル割当範囲を、図８の２段目の表に示すように、第２の光インターフェースの９〜１６ｃｈから第２の光インターフェースの１〜１６ｃｈに変更する。
【００４２】
これにより、第１および第２の４分岐スプリッタ２１，２２には、２本ずつの光ファイバしか１６分岐スプリッタに接続されなくなるため、第３および第４の２分岐スプリッタ（不図示）を新たに設置して、第１の４分岐スプリッタ２１に接続されている２本の光ファイバを第１の４分岐スプリッタ２１からはずして、新たに設置した第３の２分岐スプリッタに接続するとともに、第２の４分岐スプリッタ２２に接続されている２本の光ファイバを第２の４分岐スプリッタ２２からはずして、新たに設置した第４の２分岐スプリッタに接続する。
【００４３】
また、図８の最上段の表に示すように、新たに設置した第３の２分岐スプリッタから第３の１６分岐スプリッタ３３に接続される光ファイバのチャンネル割当範囲を、第１の光インターフェースの１７〜２１ｃｈから第１の光インターフェースの１７〜３２ｃｈに変更する。同様に、新たに設置した第４の２分岐スプリッタから第８の１６分岐スプリッタ３８に接続される光ファイバのチャンネル割当範囲を、第２の光インターフェースの２５〜３２ｃｈから第２の光インターフェースの１７〜３２ｃｈに変更する。
【００４４】
以上の説明においては、８個（Ｍ＝８）の１６分岐スプリッタ（Ｎ＝１６）に接続された１２８個の加入者装置のうちの６４個（＝（Ｎ×Ｍ）／２）の加入者装置にのみチャンネルをそれぞれ割り当てるように、光ネットワークの構築当初は、第１および第２の４分岐スプリッタ２１，２２を通信局舎内設備として設置したが、以下に説明するようにして、サービス可能な加入者装置の数を２の倍数ずつ増加させるようにしてもよい。
（１）１６個（Ｍ＝１６）の１６分岐スプリッタ（Ｎ＝１６）に接続された２５６個の加入者装置のうちの６４個（＝（Ｎ×Ｍ）／（２×２））の加入者装置にのみチャンネルをそれぞれ割り当てることができるように、第１および第２の４分岐スプリッタ２１，２２の代わりに、第１および第２の８分岐スプリッタを設置する。
（２）３２個（Ｍ＝３２）の１６分岐スプリッタ（Ｎ＝１６）に接続された５１２個の加入者装置のうちの６４個（＝（Ｎ×Ｍ）／（２×２×２））の加入者装置にのみチャンネルをそれぞれ割り当てるように、第１および第２の４分岐スプリッタ２１，２２の代わりに、第１および第２の１６分岐スプリッタを設置する。
【００４５】
また、線路上に１６分岐スプリッタを設置する場合を例として説明したが、たとえば、８分岐スプリッタおよび３２分岐スプリッタを設置する場合にも、同様にして、光ネットワークを構築する当初は、Ｎ×Ｍ個の加入者装置のうちの（Ｎ×Ｍ）／（２の倍数）個の加入者装置にのみチャンネルをそれぞれ割り当てるのに必要な個数の局用装置のみを通信局舎内設備として設置しておくだけで済むようにすることができる。
【００４６】
さらに、図２および図３に示したように、光ネットワークの構築当初は、同じ４分岐スプリッタにより分岐された４本の光ファイバのチャンネル割当範囲を連続する８チャンネルずつとしたが、重複しない限り、連続していなくてもよい。
【００４７】
さらにまた、図２および図３に示したように、光ネットワークの構築当初は、同じ４分岐スプリッタにより分岐された４本の光ファイバのチャンネル割当範囲を８チャンネルずつとしたが、１６分岐スプリッタが設置されるエリアにおける光ネットワークの構築当初の加入者数に応じて、この４本の光ファイバのチャンネル割当範囲のチャンネルの数を変えてもよい。
【産業上の利用可能性】
【００４８】
以上説明したように、本発明の光ネットワーク用チャンネル割当方法は、たとえば、収容局において１本の光ファイバを複数分岐して複数個の加入者装置を接続するのに利用することができる。
【図面の簡単な説明】
【００４９】
【図１】本発明の一実施例による光ネットワーク用チャンネル割当方法を説明するための図である。（実施例１）
【図２】図１に示した第１乃至第４の１６分岐スプリッタ３１〜３４と割当チャンネル範囲との関係を示す図である。（実施例１）
【図３】図１に示した第５乃至第８の１６分岐スプリッタ３５〜３８と割当チャンネル範囲との関係を示す図である。（実施例１）
【図４】図１に示した第１および第２の１６分岐スプリッタ３１，３２間のチャンネルの引渡しと、図１に示した第３および第４の１６分岐スプリッタ３３，３４間のチャンネルの引渡しとについて説明するための図である。（実施例１）
【図５】本発明の一実施例による光ネットワーク用チャンネル割当方法において他の局用装置を新たに設置するときの光ファイバの接続および割当チャンネル範囲の変更を説明するための図である。（実施例１）
【図６】図５に示した変更後の第１乃至第８の１６分岐スプリッタ３１〜３８と割当チャンネル範囲との関係を示す図である。（実施例１）
【図７】本発明の一実施例による光ネットワーク用チャンネル割当方法において他の局用装置を新たに設置したのちの光ファイバの接続および割当チャンネル範囲の変更を説明するための図である。（実施例１）
【図８】図７に示した変更後の第１乃至第８の１６分岐スプリッタ３１〜３８と割当チャンネル範囲との関係を示す図である。（実施例１）
【図９】従来のＰＯＮ方式局用装置の設置方法に基づくチャンネル割当方法を説明するための図である。
【図１０】図９に示した第１乃至第８の１６分岐スプリッタ１３１〜１３８と割当チャンネル範囲との関係を示す図である。
【符号の説明】
【００５０】
１１  局用装置
１２  他の局用装置
２１，２２  ４分岐スプリッタ
３１〜３８  １６分岐スプリッタ
４１，４２  ２分岐スプリッタ
【図１】
2007006341.tif 000003
【図２】
2007006341.tif 000004
【図３】
2007006341.tif 000005
【図４】
2007006341.tif 000006
【図５】
2007006341.tif 000007
【図６】
2007006341.tif 000008
【図７】
2007006341.tif 000009
【図８】
2007006341.tif 000010
【図９】
2007006341.tif 000011
【図１０】
2007006341.tif 000012